(57)【要約】【課題】  極めて簡単な構成で、かつ効果的に、ＦＦＣが読取手段に巻き付くのを防止することができる原稿読取装置およびＦＦＣの癖付け方法を提供することを目的とする。【解決手段】 ＦＦＣ４として、略正円形状に巻付けた状態で、略正方形に区画した領域７１内に複数本収納し、予め略正円形状に癖付けしたＦＦＣ４を用い、前記筐体１の底面１１に、読取手段３の移動方向に沿って前記ＦＦＣ４が挿脱可能な移動用の溝６を形成するとともに、この溝６のＦＦＣがＵ字状に変形し始める点またはその近傍において、前記筐体１の底面１１から前記移動用の溝６に向かって傾斜した溝６１を形成する。【選択図】図１
2005049613.tif 000002
【特許請求の範囲】
【請求項１】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するフレキシブルフラットケーブルとを備え、このフレキシブルフラットケーブルを前記コンタクトガラス面に水平方向に配置するようにした原稿読取装置において、
前記フレキシブルフラットケーブルとして予め略正円形状に癖付けされたフレキシブルフラットケーブルを用いるとともに、前記筐体の底面に、前記読取手段の移動方向に沿って前記フレキシブルフラットケーブルが挿脱可能な移動用の溝を形成したことを特徴とする原稿読取装置。
【請求項２】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するフレキシブルフラットケーブルとを備え、このフレキシブルフラットケーブルを前記コンタクトガラス面に水平方向に配置するようにした原稿読取装置において、
前記フレキシブルフラットケーブルとして予め略正円形状に癖付けされたフレキシブルフラットケーブルを用いることを特徴とする原稿読取装置。
【請求項３】
前記移動用の溝を、フレキシブルフラットケーブルがＵ字状に変形し始める点またはその近傍から読取最終位置の近傍まで形成したことを特徴とする請求項１に記載の原稿読取装置。
【請求項４】
前記フレキシブルフラットケーブルがＵ字状に変形し始める点またはその近傍において、前記筐体の底面から前記移動用の溝に向かって傾斜した溝を形成したことを特徴とする請求項３に記載の原稿読取装置。
【請求項５】
前記フレキシブルフラットケーブルを、少なくともＵ字状に変形し始める点またはその近傍からホームポジション近傍までの間、筐体の底面に固着したことを特徴とする請求項１乃至請求項４のいずれか１つに記載の原稿読取装置。
【請求項６】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するフレキシブルフラットケーブルとを備え、このフレキシブルフラットケーブルを前記コンタクトガラス面に水平方向に配置するようにした原稿読取装置に用いられるフレキシブルフラットケーブルの癖付け方法において、
前記フレキシブルフラットケーブルを略正円形状に巻付けた状態で、略正方形に区画した領域内に収納し、癖付けしたことを特徴とするフレキシブルフラットケーブルの癖付け方法。
【請求項７】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するフレキシブルフラットケーブルとを備え、このフレキシブルフラットケーブルを前記コンタクトガラス面に水平方向に配置するようにした原稿読取装置に用いられるフレキシブルフラットケーブルの癖付け方法において、
前記フレキシブルフラットケーブルを略正円形状に巻付けた状態で、癖付けしたことを特徴とするフレキシブルフラットケーブルの癖付け方法。
【請求項８】
前記略正方形に区画した領域内の一領域内に、複数本のフレキシブルフラットケーブルを略正円形状に巻付けた状態で収納し、癖付けしたことを特徴とする請求項６に記載のフレキシブルフラットケーブルの癖付け方法。
【請求項９】
前記略正方形に区画した領域の一辺の長さを、８〜１５ｃｍに形成したことを特徴とする請求項６または請求項８に記載のフレキシブルフラットケーブルの癖付け方法。
【請求項１０】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するフレキシブルフラットケーブルとを備え、このフレキシブルフラットケーブルを前記コンタクトガラス面に水平方向に配置するようにした原稿読取装置に用いられるフレキシブルフラットケーブルの癖付け方法において、
前記フレキシブルフラットケーブルを略正円形状に巻付け、その外周を拘束手段により拘束した状態で、癖付けしたことを特徴とするフレキシブルフラットケーブルの癖付け方法。
【請求項１１】
前記拘束手段が、紐またはゴム輪であることを特徴とする請求項１０に記載のフレキシブルフラットケーブルの癖付け方法。
【請求項１２】
前記拘束手段が、円筒状の拘束体であることを特徴とする請求項１０に記載のフレキシブルフラットケーブルの癖付け方法。
【請求項１３】
前記フレキシブルフラットケーブルを、複数本を一体的に略正円形状に巻付け、その外周を前記拘束手段で拘束した状態で、癖付けしたことを特徴とする請求項１０乃至請求項１２のいずれか１つに記載のフレキシブルフラットケーブルの癖付け方法。
【発明の詳細な説明】
【技術分野】
【０００１】
本発明は、コンタクトガラス上に載置した原稿を読み取ってデジタルデータに変換してコンピュータに出力するスキャナなどの原稿読取装置およびフレキシブルフラットケーブル（以下単にＦＦＣと称す。）の癖付け方法に関し、特にＦＦＣが、走査時に読取手段に巻き付くのを効果的に防止するようにしたものである。
【背景技術】
【０００２】
周知の通り、スキャナなどの原稿読取装置にあっては、原稿載置台のコンタクトガラス上に載置した原稿を読み取る際、前記コンタクトガラスの下に設けた読取手段をホームポジションから読取最終位置、すなわち原稿の始点から終点までを平行に移動し、原稿を走査する。このとき、前記読取手段に走査時の電力供給および読取り信号の伝達や制御に、ＦＦＣが用いられる。
【０００３】
ところが、特にこの種装置が薄型の場合、ＦＦＣを前記コンタクトガラス面に水平方向に配置しているので、読取手段の移動に伴ってコンタクトガラス面とＦＦＣが摺動してＦＦＣが座屈し、あるいは読取手段に巻き付き、読取手段の移動を妨げ、これに起因してＦＦＣが断線したり、動かなくなったりして、この種装置の故障の原因となっていた。
【０００４】
、
ところで、上述の点を考慮して従来では、例えばＦＦＣをコンタクトガラス面に垂直方向に配置し、ねじりコイルばねにより、枠体側面にＦＦＣを付勢するようにしたものがある(例えば、特許文献1参照）。
【特許文献１】特開２００２-２４７２９１号公報
【発明の開示】
【発明が解決しようとする課題】
【０００５】
しかし、前述の特許文献１記載の構成では、新たにねじりコイルばねや取付のための部品などが必要となるとともに、その取り付け作業などを要するため、作業性が悪く、この種装置が高価なものとなる、などといった課題がある。
【０００６】
本発明は、上述した問題を解決するためになされたものであり、極めて簡単な構成で、かつ効果的に、ＦＦＣが読取手段に巻き付くのを防止することができる原稿読取装置およびＦＦＣの癖付け方法を提供することを目的とする。
【課題を解決するための手段】
【０００７】
かかる目的を達成するため、請求項１記載の発明では、原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置において、前記ＦＦＣとして予め略正円形状に癖付けされたＦＦＣを用いるとともに、前記筐体の底面に、前記読取手段の移動方向に沿って前記ＦＦＣが挿脱可能な移動用の溝を形成する。
【０００８】
請求項２記載の発明では、原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置において、前記ＦＦＣとして予め略正円形状に癖付けされたＦＦＣを用いる。
【０００９】
請求項３記載の発明では、前記移動用の溝を、ＦＦＣがＵ字状に変形し始める点またはその近傍から読取最終位置の近傍まで形成する。
【００１０】
請求項４記載の発明では、前記ＦＦＣがＵ字状に変形し始める点またはその近傍において、前記筐体の底面から前記移動用の溝に向かって傾斜した溝を形成する。
【００１１】
請求項５記載の発明では、ＦＦＣを、少なくともＵ字状に変形し始める点またはその近傍からホームポジション近傍までの間、筐体の底面に固着する。
【００１２】
請求項６記載の発明では、原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置に用いられるＦＦＣの癖付け方法において、前記ＦＦＣを略正円形状に巻付けた状態で、略正方形に区画した領域内に収納し、癖付けする。
【００１３】
請求項７記載の発明では、原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置に用いられるＦＦＣの癖付け方法において、前記ＦＦＣを略正円形状に巻付けた状態で、癖付けする。
【００１４】
請求項８記載の発明では、前記略正方形に区画した領域内の一領域内に、複数本のＦＦＣを略正円形状に巻付けた状態で収納し、癖付けする。
【００１５】
請求項９記載の発明では、前記略正方形に区画した領域の一辺の長さを、８〜１５ｃｍに形成する。
【００１６】
請求項１０記載の発明では、原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置に用いられるＦＦＣの癖付け方法において、前記ＦＦＣを略正円形状に巻付け、その外周を拘束手段により拘束した状態で、癖付けする。
【００１７】
請求項１１記載の発明では、前記拘束手段が、紐またはゴム輪である。
【００１８】
請求項１２記載の発明では、前記拘束手段が、円筒状の拘束体である。
【００１９】
請求項１３記載の発明では、前記ＦＦＣを、複数本を一体的に略正円形状に巻付け、その外周を前記拘束手段で拘束する。
【発明の効果】
【００２０】
請求項１記載の発明の構成によれば、読取手段が移動する際、これに伴って追従移動するＦＦＣは、略円形状に癖付けされているとともに、筐体の底面に形成されたＦＦＣが挿脱可能な移動用の溝内を、往路では挿入、復路では離脱しながらスムーズに移動するので、ＦＦＣが座屈したり、あるいは読取手段に巻き付いたりすることがない。したがって、読取手段はスムーズに移動し、従来のようなＦＦＣの断線や、読取手段が動かなくなる、などといったことがなくなり、この種装置を長期間に亘って安定して使用することができる。しかも、筐体の底面に形成する移動用の溝は、例えば筐体製作時に一体的に成型すれば良く、このために新たな部品を必要としない。また、ＦＦＣの癖付けは、例えばＦＦＣ製作後、梱包を兼ねて巻きつけ癖付けしておけばよく、殊更特別な作業工程を必要としない、などといった効果を奏する。
【００２１】
請求項２記載の発明の構成によれば、読取手段が移動する際、これに伴って追従移動するＦＦＣは、略円形状に癖付けされているので、ＦＦＣが座屈したり、あるいは読取手段に巻き付いたりすることがない。したがって、読取手段はスムーズに移動し、従来のようなＦＦＣの断線や、読取手段が動かなくなる、などといったことがなくなり、この種装置を長期間に亘って安定して使用することができる。しかも、ＦＦＣを前述の通り癖付けするのみであり、新たな部品などを必要としない他、ＦＦＣの癖付けは、例えばＦＦＣ製作後、梱包を兼ねて巻きつけ癖付けしておけばよく、殊更特別な作業工程を必要としない、などといった効果を奏する。
【００２２】
請求項３記載の発明の構成によれば、ＦＦＣが挿脱可能な移動用の溝を、必要最小限とすることができ、都合がよい。
【００２３】
請求項４記載の発明の構成によれば、ＦＦＣがＵ字状に変形し始める点またはその近傍に、傾斜した溝が形成されているので、ＦＦＣの挿脱可能な移動用の溝内への移動がよりスムーズとなり、都合がよい。
【００２４】
請求項５記載の発明の構成によれば、ＦＦＣの移動、変形しない部分は、固着されているので、読取手段が移動してもなんら影響を受けず、該部分における座屈などの可能性は皆無となり、都合がよい。
【００２５】
請求項６記載の発明の構成によれば、ＦＦＣを略正円形状に巻付けた状態で、略正方形に区画した領域内に収納し、癖付けすることにより、ＦＦＣを簡単に癖付けすることができる。また、この状態で梱包し、輸送、または保管することができるので、都合がよい。
【００２６】
請求項７記載の発明の構成によれば、単にＦＦＣを略正円形状に巻付けた状態で、一定時間保持することにより、ＦＦＣを簡単に癖付けすることができ、その作業がきわめて単純かつ簡単である。
【００２７】
請求項８記載の発明の構成によれば、複数本のＦＦＣを一括して同時に癖付けすることができ、しかも、癖付けスペースの縮小化が図れ、極めて都合がよい。
【００２８】
請求項９記載の発明の構成によれば、ＦＦＣを収納、癖付けする領域の一辺の長さが、８〜１５ｃｍであり、適度な癖付けができるので、極めて都合がよい。
【００２９】
請求項１０記載の発明の構成によれば、ＦＦＣを略正円形状に巻付けた状態で、拘束手段により拘束した状態で、癖付けすることにより、ＦＦＣを簡単に癖付けすることができ、都合がよい。
【００３０】
請求項１１記載の発明の構成によれば、紐またはゴム輪といったごく一般的なものを利用することができ、極めて都合がよい。
【００３１】
請求項１２記載の発明の構成によれば、円筒状に形成した、拘束手段の中にＦＦＣを入れればよく、紐などの拘束手段に比し、拘束状態に不揃いがないので、極めて都合がよい。
【００３２】
請求項１３記載の発明の構成によれば、複数本のＦＦＣを一括して同時に癖付けすることができ、癖付けスペースの縮小化が図れ、極めて都合がよい。
【発明を実施するための最良の形態】
【００３３】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置において、前記ＦＦＣとして、略正円形状に巻付けた状態で、略正方形に区画した領域内に複数本収納し、癖付けして予め略正円形状に癖付けされたＦＦＣを用い、前記筐体の底面に、前記読取手段の移動方向に沿って前記ＦＦＣが挿脱可能な移動用の溝を形成するとともに、この溝のＦＦＣがＵ字状に変形し始める点またはその近傍において、前記筐体の底面から前記移動用の溝に向かって傾斜した溝を形成する。
【実施例１】
【００３４】
以下、本発明の一実施例を図１乃至図３に基づき説明する。図１は、本発明の一実施例による原稿読取装置の概略構成を示し、読取手段がホームポジションに位置する状態を示す断面図、図２は、図１に示す原稿読取装置において、読取手段が読取最終位置に位置する状態を示す断面図、図３は、同じく図１に示す原稿読取装置の側面断面図である。
【００３５】
１は筐体で、その上面には図示しない原稿を載置するためのコンタクトガラス２１を有する原稿載置台２が形成されている。３は読取手段で、前記筐体１内に配置され、図示しない駆動源や、搬送機構などからなる駆動手段により、コンタクトガラス２１の下を矢印Ｘで示すように往復移動し、ホームポジションＡから読取最終位置Ｂに移動する際、原稿を走査する。
【００３６】
前記読取手段３は、図示しないが原稿照射用の光源である例えば３色（Ｒ、Ｇ、Ｂ）のＬＥＤ、原稿からの反射光をイメージセンサーの受光素子に結像するロットレンズアレイおよびイメージセンサーなどにより構成され、図示しない枠体上に配置されている。
【００３７】
４は、後述する本発明による癖付け方法により、予め略正円形状に癖付けされたＦＦＣで、前記読取手段３のＬＥＤへの電力供給およびイメージセンサーなどの読取り信号の伝達や制御に用いられ、癖付け時に外側に位置していた面４１を、前記コンタクトガラス２１側および前記筐体１の底面１１側に位置するように配設し、前記読取手段３と前記筐体１内に設けられたコネクター５とを接続する。
【００３８】
６は、本発明にしたがい前記筐体１の底面１１に、前記読取手段３の移動方向に沿って形成され、前記ＦＦＣ４が挿脱可能な移動用の溝で、この移動用の溝６の幅は、前記ＦＦＣ４の幅より若干大きく形成すればよい。この移動用の溝６は、例えば筐体１を例えばポリプロピレン樹脂やポリエステル樹脂などの合成樹脂で成型する場合は、金型を用いて製作時に一体的に成型すれば良い。また、金属で製作する場合には、プレス成型により形成すればよい。
【００３９】
また、前記移動用の溝６は、ＦＦＣがＵ字状に変形し始める点Ｃまたはその近傍から読取最終位置Ｂの近傍まで形成すれば、その大きさを必要最小限にでき、好ましい。更に、ＦＦＣ４がＵ字状に変形し始める点Ｃまたはその近傍において、前記筐体１の底面１１から前記移動用の溝６に向かって傾斜した溝６１を形成すると、ＦＦＣ４の移動用の溝６内への挿脱移動がよりスムーズとなり、都合がよい。
【００４０】
また、前記ＦＦＣ４の伸縮、移動および変形しない部分、すなわち、図１に示すように読取手段３がホームポジションＡにある状態で、ＦＦＣ４のＵ字状に変形し始める点Ｃ、またはその近傍からホームポジションＡ近傍までの間は、筐体１の底面１１に例えば両面粘着テープなどを用いて接着あるいは他の手段により固着しても良い。このようにすれば、接着あるいは固着した部分は、読取手段３が移動してもなんら影響を受けず、該部分における座屈などの可能性は皆無となり、都合がよい。
【００４１】
次に、このように構成された原稿読取装置の動作を説明する。先ず、図１に示すような読取手段３がホームポジションＡに位置する状態で、図示しない制御部から走査指令が発せられると、図示しない駆動手段が動作し、読取手段３がホームポジションＡから読取最終位置Ｂ側（紙面左方向）に、コンタクトガラス２１上に載置された原稿を走査しながら移動し、前記原稿を読み取り、その情報がＦＦＣ４を介して図示しないＣＰＵに伝達され、この走査後、ホームポジションＡに移動し、次の指令があるまで待機する。このように読取手段３が移動する際、これに伴って追従移動するＦＦＣ４は、予め略円形状に癖付けされているとともに、筐体１の底面１１には、ＦＦＣ４が挿脱可能な移動用の溝６および傾斜した溝６１が形成されているので、ＦＦＣ４は、傾斜した溝６１を通過しながら移動用の溝６内を、往路では挿入、復路では離脱しながらスムーズに移動する。特に、読取最終位置Ｂ近傍でのＦＦＣ４の反発力が弱まる。
【００４２】
以上の構成による実施例１では、読取手段３が往復移動する際、これに伴って追従移動するＦＦＣ４は、スムーズに移動するので、ＦＦＣ４が座屈したり、あるいは読取手段３に巻き付いたりすることがない。したがって、読取手段３はスムーズに移動し、従来のようなＦＦＣ４の断線や、読取手段３が動かなくなる、などといったことがなくなり、この種装置を長期間に亘って安定して使用することができる。しかも、筐体１の底面１１に形成する移動用の溝６および傾斜した溝６１は、例えば筐体１の製作時に一体的に成型すれば良く、このために新たな部品を必要としない。また、ＦＦＣ４の癖付けは、例えばＦＦＣ４を製作後、梱包を兼ねて巻きつけ癖付けしておけばよく、殊更特別な作業工程を必要としない、などといった効果を奏する。
【実施例２】
【００４３】
次に、本発明によるＦＦＣの癖付け方法について、図４に示す本発明の一実施例について説明する。図４は、本発明によるＦＦＣの癖付け方法の一実施例を示す概略斜視図である。
【００４４】
７は、略正円形状に巻付けた状態で１本または複数本のＦＦＣ４を収納、癖付けするための型、すなわち拘束手段の一例で、略正方形に区画された領域７１を複数個設けたものである。各領域７１を形成する一辺の長さＬは、８〜１５ｃｍが好ましい。これより短いと、癖付けがきつくなるとともに、断線などの危惧があり、好ましくない。また、１５ｃｍより長くなると、癖付けが弱く、その効果が期待できない。一つの領域７１内に、ＦＦＣ４を３０本〜５０本程度収納すれば、一括して同時に癖付けすることができ、しかも、癖付けスペースの縮小化が図れるので、極めて都合がよい。前記拘束手段である型７は、例えばダンボール、ポリエステル樹脂やポリプロピレン樹脂などの合成樹脂、木材あるいは金属などで製作すればよい。また、この型７をそのまま、あるいは梱包して輸送用の容器を兼ねるようにしても良いのは勿論である。
【００４５】
以上の構成による実施例２では、ＦＦＣ４を略正円形状に巻付けた状態で、略正方形に区画した型７の領域７１内に収納し、癖付けすることにより、ＦＦＣ４を簡単に癖付けすることができる。また、この状態で梱包し、輸送、または保管することができるので、都合がよい。
【実施例３】
【００４６】
次に、図５に示す本発明によるＦＦＣの癖付け方法の他の実施例について説明する。この実施例では、ＦＦＣを拘束する拘束手段として、紐を用いたものである。図５は、本発明によるＦＦＣの癖付け方法の他の実施例を示す概略斜視図である。
【００４７】
この実施例では、複数本のＦＦＣ４を一括して略正円形状に巻付けた状態で、その外周を紐８で拘束し、癖付けしたもので、その外径を８〜１５ｃｍとしたものである。なお、紐８に換えてゴム輪（ゴムバンドを含む）などを用い、その外径が８〜１５ｃｍとなるように拘束しても良いのは勿論である。
【００４８】
以上の構成による実施例３では、前述した実施例と同様の作用効果を奏する他、ＦＦＣ４を紐８またはゴム輪といったごく一般的なものを利用して簡単に癖付けすることができ、都合がよい。
【実施例４】
【００４９】
次に、図６に示す本発明によるＦＦＣの癖付け方法の更に他の実施例について説明する。この実施例では、ＦＦＣを拘束する拘束手段として、円筒状の容器を用いたものである。図６は、本発明によるＦＦＣの癖付け方法の更に他の実施例を示す概略斜視図である。
【００５０】
この実施例では、複数本のＦＦＣ４を一括して略正円形状に巻付けた状態で、８〜１５ｃｍの略正円形状に形成した、例えばポリエステル樹脂やポリプロピレン樹脂などの合成樹脂、あるいは金属などで形成した円筒状の容器９内に収納して、ＦＦＣ４を略正円形状に癖付けしたものである。
【００５１】
以上の構成による実施例４では、前述した各実施例と同様の作用効果を奏する他、円筒状に形成した、拘束手段である容器９内にＦＦＣ４を複数本収納すればよく、前述した紐８などの拘束手段に比し、拘束状態に不揃いがないので、極めて都合がよい。
【００５２】
なお、上述した各実施例は、本発明の好適な実施例であるが、本発明はこれに限定されるものではなく、本発明の要旨を逸脱しない範囲において、種々変形実施可能である。
【図面の簡単な説明】
【００５３】
【図１】本発明の一実施例による原稿読取装置の概略構成を示し、読取手段がホームポジションに位置する状態を示す断面図である。
【図２】図１に示す原稿読取装置において、読取手段が読取最終位置に位置する状態を示す断面図である。
【図３】同じく図１に示す原稿読取装置の側面断面図である。
【図４】本発明によるＦＦＣの癖付け方法の一実施例を示す概略斜視図である。
【図５】本発明によるＦＦＣの癖付け方法の他の実施例を示す概略斜視図である。
【図６】本発明によるＦＦＣの癖付け方法の更に他の実施例を示す概略斜視図である。
【符号の説明】
【００５４】
１    筐体
１１  底面
２    原稿載置台
２１  コンタクトガラス
３    読取手段
４    フレキシブルフラットケーブル（ＦＦＣ）
５    コネクター
６    移動用の溝
６１  傾斜した溝
７    型（拘束手段）
７１  領域
８    紐（拘束手段）
９    容器（拘束手段）
Ａ    ホームポジション
Ｂ    読取最終位置
【図１】
2005049613.tif 000003
【図２】
2005049613.tif 000004
【図３】
2005049613.tif 000005
【図４】
2005049613.tif 000006
【図５】
2005049613.tif 000007
【図６】
2005049613.tif 000008